(57)【要約】【課題】改良されたロックを提供する。【解決手段】フレームに対して開放位置および閉止位置の間で動き得るウィング用ロックであって、ケーシング（１１、１２）と、該ケーシングから伸張するかまたは該ケーシング内に撤退するように作動し得るボルト（５５）と、使用時、前記ウィングの１側にあり、前記ボルトを撤退させるべく枢動可能に作動しうるよう配置された作動部材（３６）と、前記ボルトがその伸張位置にあるとき、該ボルトに自動的に係合して該ボルトをデッドロックするように配置された、少なくとも部分的に前記ケーシング内にある枢動錠止部材（４４）と、前記作動部材（３６）の枢軸（４１）または前記枢動錠止部材（４４）の枢軸（４３）用の支持面（３８ｂ、１３８ｂ）の少なくとも１部分を、あるいは前記作動部材の枢軸（４１）および前記枢動錠止部材（４４）の枢軸（４３）用の各支持面（３８ｂ、１３８ｂ）の少なくとも１部分を、前記ケーシング内に提供する一体要素とを備える。【選択図】図２９
2010174622.tif 000002
【特許請求の範囲】
【請求項１】
フレームに対して開放位置および閉止位置の間で動き得るウィング用ロックであって、ケーシング（１１、１２）と、該ケーシングから伸張するかまたは該ケーシング内に撤退するように作動し得るボルト（５５）と、使用時、前記ウィングの１側にあり、前記ボルトを撤退させるべく枢動可能に作動しうるよう配置された作動部材（３６）と、前記ボルトがその伸張位置にあるとき、該ボルトに自動的に係合して該ボルトをデッドロックするように配置された、少なくとも部分的に前記ケーシング内にある枢動錠止部材（４４）と、前記作動部材（３６）の枢軸（４１）または前記枢動錠止部材（４４）の枢軸（４３）用の支持面（３８ｂ、１３８ｂ）の少なくとも１部分を、あるいは前記作動部材の枢軸（４１）および前記枢動錠止部材（４４）の枢軸（４３）用の各支持面（３８ｂ、１３８ｂ）の少なくとも１部分を、前記ケーシング内に提供する一体要素とを備えるウィング用ロック。
【請求項２】
前記一体要素は、前記作動部材および前記枢動錠止部材の枢軸用の前記各支持面の少なくとも１部分を提供しており、そして前記一体要素は、各枢軸用に、半筒状の支持面を提供している請求項１に記載のウィング用ロック。
【請求項３】
前記各支持面は、前記ケーシングによって設けられた対応する半筒状の支持面と係合する請求項２に記載のウィング用ロック。
【請求項４】
前記一体要素は、前記作動部材用の枢動ロッドの両端のための半筒状の各支持面を提供する１対の離間した、平行なアームを有している請求項３に記載のウィング用ロック。
【請求項５】
前記一体要素は、前記枢動錠止部材用の枢動ロッドの両端のための半筒状の各支持面を提供する１対の離間した、平行なアームを有している請求項３または４に記載のウィング用ロック。
【請求項６】
前記一体要素は、前記ケーシングに固定されており、そして前記一体要素の堅固な壁は、前記枢動錠止部材が延びる前記枢動ロッドの側とは反対の前記枢動錠止部材用の前記枢動ロッドの側に直接隣接して配置されている請求項５に記載のウィング用ロック。
【請求項７】
前記一体要素は、間に開口を画成する１対の離間したアームを備え、付勢ばねで付勢されたボルト解放部材は、該付勢ばねの一端を前記１対のアームに係合させて、前記開口内に摺動可能に配置された部分を有している請求項１〜６のいずれか１項に記載のウィング用ロック。
【請求項８】
前記一体要素は、前記作動部材と前記枢動錠止部材との間にコネクタ要素のための案内スロットを備えており、前記コネクタ要素は、ばね鋼から形成されるとともに、前記作動部材が枢動されて前記ボルトをその前記伸張位置から撤退させるとき前記枢動錠止部材が前記コネクタ要素を介して前記ボルトとの係合から解放されるように作動する請求項１〜７のいずれか１項に記載のウィング用ロック。
【請求項９】
前記一体要素は、前記ケーシングの開口を通って外方に突出する部分を有し、該部分がロックシリンダおよびプラグ構体を受容する請求項１〜８のいずれか１項に記載のウィング用ロック。
【請求項１０】
前記一体要素は、前記ケーシング内に該一体要素を固定する固定手段用の少なくとも１つの孔を有している請求項１〜９のいずれか１項に記載のウィング用ロック。
【請求項１１】
前記一体要素は鋳造体であることを特徴とする請求項１０に記載のウィング用ロック。
【発明の詳細な説明】
【技術分野】
【０００１】
本発明は可動ウィング用ロックに関し、とくに、家庭用玄関ドアに縁部で嵌合されるようにしたロックに関する。
【発明の概要】
【０００２】
本発明の目的は、改良された形でかかるロックを提供することにある。
【０００３】
本発明によれば、フレームに対して開放位置および閉止位置の間で動き得るウィング用ロックは、ケーシングと、該ケーシングから伸張するかまたは該ケーシング内に撤退するように作動し得るボルトと、使用時、前記ウィングの１側にあり、前記ボルトを撤退させるべく枢動可能に作動しうるよう配置された作動部材と、前記ボルトがその伸張位置にあるとき、該ボルトに自動的に係合して該ボルトをデッドロックするように配置された、少なくとも部分的に前記ケーシング内にある枢動錠止部材と、前記作動部材の枢軸または前記枢動錠止部材の枢軸用の支持面の少なくとも１部分を、あるいは前記作動部材の枢軸および前記枢動錠止部材の枢軸用の各支持面の少なくとも１部分を、前記ケーシング内に提供する一体要素とを備えている。
前記一体要素は、各枢軸のために、半筒状の支持面を提供することが好ましい。望ましいのは、前記一体要素により提供されたかかる半筒状の支持面の各々が前記ケーシングによって提供された対応する半筒状の支持面と係合することである。便宜的に、前記一体要素は前記ケーシングの開口を通って外方に突出する部分を有しており、前記部分がロックシリンダおよびプラグ構体を受容する。前記一体要素は、好ましくは、例えば、亜鉛基合金からなる鋳造体である。
【図面の簡単な説明】
【０００４】
【図１】ボルトがその通常の撤退状態にありかつハンドルがその休止位置にある、本発明のロックのケーシングの概略内部側面図である。
【図２】ロックのケーシングから部分的に伸張したボルトを示す、図１と同様の図である。
【図３】ロックのケーシングから完全に伸張したボルトを示す、図１と同様の図である。
【図４】図３に対応しているが、ハンドルがその休止位置から部分的に枢動されている図である。
【図５】図４に対応しているが、ハンドルが完全に枢動されかつボルトがその通常の撤退された状態にある図である。
【図６】ボルトがその完全に伸張した、デッドロック状態にある、ケーシングの概略部分、内部平面図である。
【図７】図６に対して９０°にある概略部分、内部図である。
【図８】ボルトがその通常の撤退状態にある、図６に対応する図である。
【図９】ボルトがその通常の撤退状態にある、図７に対応する図である。
【図１０】カムによるボルトの撤退の開始および終了における２つの代替位置にあるカムを示す図６および図８に対応する図である。
【図１１】図１０に対応する図である。
【図１２】図１０に対応する図である。
【図１３】ボルトをその撤退位置に錠止するための掛け金を示すケーシングの簡単化された概略内部側面図であり、ボルトは掛け金の作動前にその通常の撤退状態に示されている。
【図１４】ボルトがさらにケーシング内に撤退されかつ掛け金が作動されている、図１３に対応する図である。
【図１５】ボルトがその通常の撤退状態にありかつ掛け金がボルトを錠止するように作動されている、図１３および図１４に対応する図である。
【図１６】ばね負荷のボルト解放部材および関連のボルト保持部材を示す、ケーシングの簡単化された、概略、部分、内部側面図である。
【図１７】ボルト保持部材が通常の撤退状態にボルトを維持している、図１６に対応する部分平面図である。
【図１８】ボルト保持部材を解放してボルトをその伸張位置へ移動させるように押し下げられている、図１７に対応する図である。
【図１９Ａ】ボルトを撤退させるようなハンドルの作動を阻止する位置への遮断耳片の運動を生じるように作動された、ケーシングの１側に配置されるキー操作のロックシリンダを示すケーシングの概略、部分断面側面図である。
【図１９Ｂ】図１９Ｂの前記ロックシリンダのまわりのローズがケーシングの１側にどのように固定されるかを示す、部分的な、概略の、部分破断された断面図である。
【図１９Ｃ】図１５と同様であるが、図１９Ｃのロックシリンダを示す、ケーシングの概略の、部分破断された断面図である。
【図２０】図１９Ａの構成の概略平面図である。
【図２１】キーがキー除去位置へプラグを回転する前の、遮断耳片がハンドルから離れて動かされるときの遮断耳片に対するロックシリンダプラグの位置を示す図である。
【図２２】プラグが回転された後の、遮断耳片がハンドルから離れて動かされるときの遮断耳片に対するロックシリンダプラグの位置を示す図である。
【図２３】ドアの１側および前方縁面へのケーシングの固定を示す簡単化された内部平面図である。
【図２４】ケーシングに嵌合されるようにロックシリンダを所定位置に受容するハウジングを示す、図１９と同様な概略縮小図である。
【図２５】デッドロック要素およびハンドル用ベアリングを示す、図３と同様な概略縮小図である。
【図２６】デッドロック要素およびハンドル用ベアリングを示すが、ハンドルは示していない、図２と同様な概略縮小図である。
【図２７】図２４の矢印Ａの方向におけるハウジングの断片図である。
【図２８】図２４のハウジングの一方の側の側面図である。
【図２９】図２４のハウジングの図２８と反対側の側面図である。
【図３０】空のときのケーシングの本体部分を示す内部平面図である。
【図３１】ドアの外側において作動可能な錠止構体の１部分を示す断片側面図である。
【図３２Ａ】図１９〜図２２の遮断耳片と係合された図３１の錠止構体を１位置において示す図である。
【図３２Ｂ】図１９ないし図２２の遮断耳片と係合された図３１の錠止構体を他の位置において示す図である。
【発明を実施するための形態】
【０００５】
本発明を、以下で、添付図面を参照して、例として説明する。
【０００６】
図に示されるのは本発明のロックであり、このロックは図示実施例においては縁部で取り付けられる、すなわち、図２３に示されるごとく、便宜的に蝶着されたドア１０のごときウィングの一方の側にかつ部分的に１前方縁部に取り付けられるように意図されており、前記ドア１０は、該ドア１０が開放位置とロックのボルトによって錠止される閉止位置との間で動かされることができるように関連のフレームとステープル（図示せず）を有しており、かかるボルトについては後で説明する。
【０００７】
ロックは、１側で開放された正方形の箱構造の全体的な形状になるケーシング部分１１と、正方形の金属プレートの形の閉止部分１２とから作られた金属製のケーシングを有している。閉止部分１２は、ケーシング部分１１により形成された突出部にあるネジ山付き孔に通っているネジを固定するために、その４隅の各々にまたは４隅の近くに穴を備えていて、前記閉止部分１２をケーシング部分１１の外方自由縁部表面の面内で所定位置に固定するとともに、図から隠されたその中に組み立てられたコンポーネントによりケーシングを完成している。
【０００８】
上述のように、ケーシング部分１１は正方形の箱構造の形であり、また、図２３は、端壁１４と一体に形成された側壁１３と前方壁１５とを示しており、該前方壁１５は、ロックの前方端を形成するために端壁１４よりさらに側壁１３から延長されており、前方壁１５の延長部は、図２３に示されるようにドア１０の前方縁面に固定され、端壁１４の自由縁部面は、再び図２３に示されるごとく、使用時にドア１０の内側に対して係合している。ケーシング部分１１は、底壁１６と、図１７および図１８に示される平行な頂壁１７とによって完成される。
【０００９】
前方壁１５の延長部は、その上方および下方縁部にそれぞれ隣接して間隔が置かれた１対の皿穴を形成しており、その１つの皿穴１８が図２３に示されている。これらの皿穴は、ドア１０の前方縁部面において対応する深さの溝に前方壁１５の延長部を固定するために、図２３に示されるネジ１９のごとき、対応するネジを受容している。前方壁１５において、ケーシング部分１１の開放側に画成された平面の直ぐ内方の位置にあるのは、１対の間隔が置かれた皿穴であり、その１つの皿穴２０が図２３に示されている。皿穴２０と実質的に同一の側壁１３からのレベルに、円形断面の貫通孔２２を有する一体の耳片２１が端壁１４の内部に設けられており、閉止部分１２は耳片２１を収納するための切り欠きを有している。
【００１０】
耳片の外面は平らな取付プレート１２ａの厚さだけケーシング部分１１の外方自由縁部面から間隔が置かれている。この耳片２１は端壁１４に沿って中央に配置されており、そして取付プレート１２ａは、その長さに沿って中央にその縁部の一方に隣接してタップ付き孔２３を備えており、その結果、図２３に示されるように、取付プレート１２ａをケーシング部分１１の「開放」側で所定位置にして、該取付プレート１２ａは、ケーシング部分１１の「開放」側で、耳片の貫通孔２２と一直線に整列されたタップ付き孔２３と面一に横たわるように、閉止部分１２から離間した位置で耳片２１の外面上に載置することができる。さらに、取付プレート１２ａは、その縁部面（タップ付き孔２３がそれに隣接して設けられている）と反対の縁部面に、下方に曲げられた２つの一体の垂下部を有しており、その一方の垂下部分２４が図２３に示されている。各垂下部２４は、閉止部分１２のスロットを通って延びるとともに、タップ付きの貫通開口を有しており、この貫通開口は垂下部２４用に符号２５として示されている。
【００１１】
ケーシング部分１１の外方「開放」側で上述のように面一に取付プレート１２ａを配置した状態で、各垂下部２４を通る孔は、固定ネジ（その一つが図２３に符号２６示されている）を受容する皿穴２０と整列されている。使用中、図２３に示されるように、耳片の貫通孔２２に捕捉されたネジ２７は、その自由端をドア１０の側面にある凹所に受容させた状態で、その軸部分を取付プレート１２ａにある整列したタップ付き孔２３に係合させている。したがって、こうして、ケーシング部分１１および閉止部分１２を備える、完成されたケーシングは、取付プレート１２ａに固定され、そして完成されたケーシングもまた、ネジ１９によって、ドア１０の前方縁部面の部分に固定される。ケーシング部分１１への取付プレート１２ａのこの固着は、同等のコンポーネントがしばしばケーシングへの固定のために屈曲部分、スロット等を備えた複雑なプレス製品である従来技術の構成に比べてとくに好都合である。
【００１２】
取付プレート１２ａは、ドア１０の側に該取付プレート１２ａを固定するための木ネジ用に、一方が他方の上に離間して配置された２つの固定用の皿孔を有している。１つの皿孔１２ｂが図２３に示されている。ネジ２７の固定は、英国特許出願第０００５７５５．４号の主題を形成している。
【００１３】
加えて、図２３に示されるように、取付プレート１２ａはそれに固定されたロックシリンダおよびプラグ構体２８を有している。このロックシリンダおよびプラグ構体２８は、取付プレート１２ａにある円形孔（図示せず）を中心にしてその上方で取付プレート１２ａ上に配置されており、その場合、取付プレート１２ａにある前記円形孔の両側でシリンダの端部からの各突起が、取付プレート１２ａに対応して形成された開口にそれぞれ延びている。取付プレート１２ａ上のこの選定位置にロックシリンダおよびプラグ構体２８を固定するために、取付プレート１２ａは、該ロックシリンダおよびプラグ構体２８が心出しされる取付プレート１２ａにある円形孔の両側で離間して整列された１対の貫通孔２９を備えており、そしてネジ３０が、該ネジの軸部分をロックシリンダおよびプラグ構体２８のシリンダにある各ネジ孔３１に延入させて、貫通孔２９に係合している。
【００１４】
使用中、図２３に示されるように、完成されたケーシングは、ロックシリンダおよびプラグ構体２８をドア１０の円形断面貫通開口に受容させて、図示のごとくドア１０に固定されている。なお、ロックシリンダおよびプラグ構体２８の端部は、ドア１０の他方の側から突出していてそのまわりにローズ（rose）３２または同等の部材を固定せしめている。ローズ３２は、ロックシリンダおよびプラグ構体２８の頂部および底部において直径方向に対峙して配置されるとともにドア１０の各孔に受容される１対の後方に向けられたボスを備えることができ、そしてこれらのボスは、図２３において符号３３で１つが示されているボルトと整列されてており、該ボルト３３は、その軸部分がドア１０の厚さを貫通する状態で、取付プレート１２ａにある貫通孔を通って延びている。
【００１５】
１つの構成例において、これらのボルト３３のネジ山付き端部は、図２３に示されるようにドア１０の外面にローズ３２をぴったり固定するようにローズ３２の後方に延びるボスの開放されたネジ山付き端部にそれぞれ係合することができる。それゆえ、上述の構成例では、図２３に示すように、ケーシングは、ロックシリンダおよびプラグ構体２８を、ドア１０の他方の側で作動のためアクセス可能にドア１０を通して固定して、ドア１０の一方の側にしっかり固定されている。図３１に略示されているのはロックシリンダおよびプラグ構体２８のプラグ２８ａおよび錠止バー２８ｂである。
【００１６】
側壁１３の中央縁部分は図２３において概略的に確認されるように長方形の開口３４を備え、そして端壁１４の隣接する縁部分には、連通する同様な長方形の開口３５が設けられている。側壁１３の内面は、開口３４の両端のところに、これから説明するように、開口３４および３５を通って延びるハンドル３６を枢着するための凹状半筒形の支持面を備えている。該支持面３４ａは図２４、図２６および図３０において確認される。
【００１７】
側壁１３の中央に配置されるとともに開口３４の内方縁部の内方に僅かだけ離間して配置されているのは、卵形の孔３７であり、その中に、図１９および図２５に示されるようにロックシリンダ３９およびその関連のプラグ４０用のハウジング３８が嵌合される。このハウジング３８は、例えば亜鉛基合金の金属鋳造体の形であるとともに、平行に離間した１対のアーム３８ａを含んでおり、該アームは、図２４、図２６および図２９に示されるように、それに画成された凹状半筒形の支持面３８ｂを有している。支持面３８ｂは、枢動ロッド４１用の１対の離間した全周軸受(full bearing)を形成するように対応する支持面３４ａと係合し、枢動ロッド４１は、ケーシングに対するハンドル３６の枢動を許容するようにハンドル３６の内方縁部に隣接して部分円形のチャンネル４２（図１９Ａ、図２１、図２２および図２３）内に配置されている。
【００１８】
枢動ロッド４１の両端部分は、チャンネル４２を閉じるハンドルの対峙する端を通り、そして前記ハンドルの外側を延びて前記全周軸受に入る。図５および図２３に示されるように、ハンドルの完全枢動は、ハンドルの端部にある切り欠き３６ａを介してアクセスするのに必要とされ、そしてドライバシャフト２７ａ用の開口３４，３５を介して、ドア１０へのケーシングの組み立てに際し、または取り外しのためにドライバシャフト２７ａをネジ２７に係合させるのに必要とされる。
【００１９】
ハウジング３８は、また、その前記離間したアームに隣接して、固定貫通孔３８ｃを備え、これらの固定貫通孔は、側壁１３の内面から直立のボスもしくは突起１３ａと整列されている。固定ネジの使用によって、ハウジング３８は、ケーシングの前記側壁１３に固定される。この側壁１３は、該側壁１３から外方に延びるハウジングの部分の対峙する側に２つの貫通孔１３ｃ，１３ｄを有しており、これらの孔は、ロックシリンダ３９およびその関連のプラグ４０の中心を通る直径上にある。
【００２０】
ケーシング内のハウジング３８の部分は、側壁１３にある貫通孔１３ｃに整列した１つの孔３８ｄと、前記側壁１３にある直径方向に整列した貫通孔のうちの他方の貫通孔１３ｄに整列した切り欠き３８ｅとを備えている。頭部を備えた固定ネジ３８ｈ（図１９Ｂおよび図１９Ｃ）の軸部分は、側壁１３の前記貫通孔１３ｃ，１３ｄを通して受容され、頭部はそれぞれ前記孔３８ｄおよび切り欠き３８ｅに受容される。これらの固定ネジ３８ｈのネジ山付き端部は、ケーシングの外方に突出しているハウジング３８の部分のまわりに嵌合されるローズ(rose)と称される円形部材１１０の内面にある盲穴にネジ式に受容され、このローズ１１０は、視界から隠すように、かつケーシングの外部でハウジング３８を通って延びる関連のグラブネジ３８ｇを備えたグラブネジ孔３８ｆへのアクセスを防止するように、側壁１３の外面に対して前記固定ネジ３８ｈによって引っ張られる。このグラブネジ３８ｇは、シリンダ３９の外側にある凹所に係合し、それによりシリンダ３９を、その中にある関連の回転可能なプラグとともに、ハウジング３８へ固定する。
【００２１】
ローズ１１０を所定位置に固定するためにケーシング部分１１を貫いて延びるこれらの固定ネジ３８ｈの各ポジドライブ(posi-drive)頭部は、ケーシング部分１１および閉止部分１２の構体が使用中にドア１０上の取付プレート１２ａから取り外されるとき、そしてロックのボルト５５を撤退状態に保持して、ケーシング部分１１からロックの諸コンポーネントを取り外すことなく、ケーシング部分１１内に容易にアクセス可能であるようにかつ覆われずに配置され、それによりシリンダ３９の取り外しおよび交換を公知の装置より非常に容易にする。閉止部分１２は、これらの固定ネジ３８ｈとそれぞれ整列される孔１２ｃを備えている。
【００２２】
いったん、ケーシング部分１１をドア１０から取り外したら、必要とされることは、前記覆われていない固定ネジ３８ｈを取り外すことのみであり、該固定ネジ３８ｈの頭部は、ローズ１１０を解放するように、孔３８ｄおよび切り欠き３８ｅのこれまで「空の」部分に進入し、それによりグラブネジ３８ｇを露出させる。これにより取り外されて、シリンダ３９およびプラグ４０をケーシング部分１１の外側で交換するのを許容する。グラブネジ３８ｇは再び締め付けられ、ローズ１１０が交換され、そして固定ネジ３８ｈが側壁１３の表面にローズ１１０を固定するように締め付けられる。この特徴は、英国特許出願第０００５７５３．９号の主題を形成している。組み立て時、ローズ１１０はまず固定ネジ３８ｈによって所定位置に固定され、そしてハウジング３８はその後所定位置に固定され得る。
【００２３】
ケーシング内のハウジング３８の構造はさらに他の４つの機能を提供する。まず、ケーシング３８は、凹状半筒形の支持面１３８ｂを画成する２本の離間したアーム１３８ａを有しており、該アーム１３８ａと支持面１３８ｂは図２４ないし図２９に示されている。アーム１３８ａは端壁１４から離れて延び、そして支持面１３８ｂは、側壁１３の内面に向けられており、そこでは該支持面１３８ｂが側壁１３の内面から直立する突起に形成された対応の凹状半筒形の状支持面１３ｂと係合している。この完成した対の離間した軸受は、図１〜図５、図７〜図１２、図２５および図２６に最も良く示されているデッドロック要素４４のロッド４３用の枢動装置として作用している。
【００２４】
これらの図に示されるように、デッドロック要素４４はロッド４３から離れて延びている正方形の本体部分４５を有しており、本体部分４５はロッド４３から離れたその端部に下方に曲げた鼻状部分４６を備えている。頂壁１７に向かい合う該本体部分４５のより長い側辺において、本体部分４５は、上方にかつ外方に開いているＵ形状の突起４７を有している。突起４７の下方内面は、実質上本体部分４５の下側のレベルにあるが、この突起４７の位置において、本体部分４５の側辺は、これから説明するように、ハンドル３６を前記デッドロック要素４４に接続するばね状の接続部材４９の真直部分を受容するべく、符号４８で示す凹部を有している。ハウジング３８によって提供される第２の機能は、１対の直立面１３８ｃを備え、該１対の直立面１３８ｃがそれらの間に、ハンドル３６と協働するように延びるばね状の接続部材４９のさらに他の部分５０用の案内スロット１３８ｄを画成することである。
【００２５】
図１ないし図５に示されるように、ハンドル３６は、頂壁１７に隣接するその側において、前記チャンネル４２から延びるアーム５１を備え、このアーム５１は鼻状部分５２を画成する。図１〜図３に示された鼻状部分５２の方向で見て、該鼻状部分５２の内側に、該鼻状部分５２の頂部から僅かに下方に離間して配置されているのは、さらなる他の、小さい鼻状部分５３であり、これら鼻状部分５２および５３は、溝５４を画成する部分によって間隔が置かれている。この溝は、図１ないし図５に示されるように、ばね状の接続部材４９の前記他の部分５０を受容するためであるのに対し、他の鼻状部分５３は、後述するように、ロックのボルト５５の端部に係合するためである。
【００２６】
図１ないし図５に示すように、ばね鋼からなる接続部材４９は、デッドロック要素４４用の枢軸として作用するロッド４３上に受容される、中央のコイル状部分５６を有している。接続部材４９は、頂壁１７から離れたコイル状部分５６の端部において、底壁１６および頂壁１７に対して平行な平面にある真直部分５７を形成しており、この接続部材は、図１ないし図５に示すようにデッドロック要素４４の本体部分４５の凹部４８に延びて入る上述の真直部分を提供するように、その端部を９０°にわたり湾曲せしめている。
【００２７】
他の部分５０は、コイル状部分５６の他端において、側壁１３から離れて、案内スロット１３８ｄを通って、ケーシングの内部に延びて入る。この内部で、他の部分５０は、僅かに弓形の端部分６０で終端する前に、凹状の曲部５８と次いで凸状の曲部５９とを形成している。接続部材４９のこの他の部分５０は溝５４と同一の平面にある頂壁１７に対して平行な平面に横たわっている。ロックに関してさらに後から記載されるように、図１および図２から分かることは、使用中、完全に撤退されたまたは部分的に伸張位置にあるボルト５５により、曲部５８および５９は前記溝５４から離れて間隔が置かれているということである。
【００２８】
しかしながら、図３に示すボルト５５の完全な伸張位置において、デッドロック要素４４はケーシングの内方に枢動するので、曲部５８は移動して前記溝５４に入る。この位置からハンドル３６がボルト５５を撤退させるように枢動されると、接続部材４９のこの部分が曲部５９で持ち上げられることが分かる。その結果、接続部材４９の真直部分５７が図１の位置にデッドロック要素４４を枢動して戻すように作用する。したがって、ボルト５５は、もはやデッドロック要素４４によって内方に動くことを阻止されることはなく、また、ハンドル３６が図５の位置に枢動されるときに撤退させられる。
【００２９】
図５は、ハンドル３６がその鼻状部分５２が端壁１４の係合するようにケーシングに対して完全に枢動された位置にあるときに到達する位置を示しており、このとき接続部材４９の端部分６０は、閉止部分１２の内面に隣接して横たわるケーシング内の最内方位置へ溝５４内で上昇されている。これらの図から分かるように、本体部分４５の内側から、半球状の頭部を備えた筒状突起６１があり、一方、同一軸線上で、しかも反対側に、より小さい直径の同様の突起６２が延びている。この突起６２は側壁１３にあるスロット６３を通って動くことができ、そして側壁１３の内面にはスロット６３のまわりに円形断面のポケット６４が形成されていて、コイル状の圧縮ばね６５が突起６２のまわりに受容されているとともに前記ポケット内に配置された一端を有している。
【００３０】
このようにして、デッドロック要素４４は、図３に示された位置へ、ケーシング内で内方に向かって枢動するように付勢され、突起６２は、ボルト５５がデッドロックされたかどうかを示すインジケータとしてロックの側壁１３の外部において作用する。説明したように、図３から図５の位置へのハンドル３６の枢動は、圧縮ばね６５の力に勝つ接続部材４９の介在により、デッドロック要素４４を図１の位置へ枢動させ、したがって、後述するように、ボルト５５を撤退させる。接続部材の特徴は、英国特許出願第０００５７５６．２号の主題を構成している。
【００３１】
ハウジング３８は、さらに、１対の間隔が置かれて内方に向けられたアーム６６（図１６〜図１８および図２８）を備えており、また、側壁１３の内面から直立しているのは、底壁１６および頂壁１７に対して垂直に延びる１対の離間した平行な案内壁６７であり、これらの案内壁６７は、図１６に略示されるように、前方壁１５の内面の僅かに前方にある。各案内壁６７は、この案内壁の外方自由縁部面から内方に延びる略長方形のスロット６７ａ（図３０参照）によって中断されており、２つのスロットは、互いに整列されるとともに、２本のアーム６６間に画成された開口と整列されている。さらに、ケーシングの前方壁にはスロット６８が形成されており、これは、案内壁６７の整列したスロットおよびアーム６６間の開口と同一平面にあり、したがってそれらと整列されている。
【００３２】
この構成は、図１６〜図１８に示されたばね負荷のボルト解放部材６９を収納するためである。ボルト解放部材６９は、上方に曲げられた端部をもつ真っ直ぐな尾部部分７０を有する細長い形状からなっており、コイル状の圧縮ばね７１が尾部部分７０の真っ直ぐな部分のまわりに配置されている。尾部部分７０は、アーム６６間の開口に係合するように配置されており、コイル状の圧縮ばね７１の一端は前方壁１５に向かい合うアーム６６のそれぞれの側に当接している。圧縮ばね７１の他端は、ボルト解放部材６９の本体部分７２に当接し、これは上述したように前記案内壁を中断するスロットに受容されることによって案内壁６７を横切って摺動するように配置されている。
【００３３】
本体部分７２の自由端にあるのは面取りされた鼻状部分７３であり、これは、ボルト解放部材６９の完全な伸張位置および撤退位置をそれぞれ示す図１６および図１８に最も良く示すように、密接摺動嵌合すなわち押込み嵌めとしてスロット６８を通って延びるように摺動可能に配置されている。前記案内壁６７間に画成された部分筒形の支持面上で案内壁６７間にあるのは、筒状のボルト保持部材７４であり、これは、図１および図５に示した通常の完全な撤退位置においてボルト５５と自動的に係合するように配置されている。該ボルト保持部材７４は、これを頂壁１７から離れて動かすように頂壁１７とボルト保持部材７４の端部との間に受容されたコイルばね７５によって付勢されている。ボルト保持部材７４は、その長さに沿って横方向の凹所７６を備えており、該凹所の中に、ボルト解放部材６９の本体部分７２が受容されている。
【００３４】
該本体部分７２は、この実施例において、図１７および図１８に示されているように頂壁１７に向かい合っている面取りされた面７７によって結合される２つの厚さ部分からなっている。ボルト解放部材６９の長さに沿ったこの面取りされた面７７の位置は、ボルト解放部材６９が図に示された完全な伸張位置にあるとき、本体部分７２のより薄い部分が、頂壁１７に最も近い凹所の側に隣接して、凹所７６内にあるようになっている。
【００３５】
しかしながら、ボルト解放部材６９がケーシング内に延びて入るとき、面取りされた面７７は頂壁１７に最も近い凹所７６の縁部に係合し、その結果、ボルト解放部材６９の直線内向き運動が継続する場合に、この面取りされた面７７は、ばね７５の付勢に抗して頂壁１７に向かう方向にボルト保持部材７４を強制する。ばね７５が当接する端部と反対の端部において、ボルト保持部材７４は、ボルト５５の長手方向側に画成された凹所７９に係合するようになされたピン７８を有している。
【００３６】
したがって、図１７および図１８から、ボルト保持部材７４のこのピン７８が、前記凹所７９に係合するよう如何にしてばね付勢されるか、したがって完全に伸張した位置にばね付勢されたボルト解放部材６９により通常の撤退された状態にボルトを保持するように如何にしてばね付勢されるかが分かる。しかしながら、後述するように、ドア１０が閉じられるとき、ボルト解放部材６９は、ドアフレームでのステープルとの係合によって、そのばね付勢力に抗してケーシング内に自動的に強制され、その結果、ボルト解放部材６９が図１８の位置に移動するとき、その面取りされた面７７がばね付勢力に抗してボルト保持部材７４を動かしてピン７８をボルト５５の凹所７９から解放し、次いでボルト５５がコイル状圧縮ばね（図示せず）の付勢下にその伸張位置に自動的に動く。このコイル状圧縮ばねは、底壁１６に対して平行でかつその内方に向かって間隔が置かれている長手方向ガイド２１３内に受容され、このガイドは側壁１３から上方に延びかつ前方壁１５の内面に延びている。
【００３７】
ボルト５５は、側壁１３に向かい合う側から延びる脚部を備えており、この脚部は、ガイド内に延び、したがって、ボルト５５がその通常の完全な撤退位置に動かされかつボルト保持部材７４によって保持されるときにガイド内のばねを圧縮するのに役立つ。したがって、ボルト保持部材７４の解放は、通常、このばねがガイド内に延入するのを許容し、それにより脚部を前記ガイドに沿って移動させるとともにボルト５５の伸張を生じさせる。
【００３８】
ハウジング３８によって提供される最後の機能は、１実施例において、ハウジングがその外面から延びる半径方向の遮断耳片８１を有する筒状のコンポーネント８０を収納するようにロックシリンダ３９および関連のプラグ４０を受容する部分の内方に向かって延長されるということである。ハウジング３８がこの機能を提供するなら、ハウジングは、弓形の切り欠き部分を内部に備えた筒状のハウジング部分内にコンポーネント８０の長さの一部を受容する。弓形の切り欠き部分は、内部でコンポーネントが回転し得るこのハウジング部分から外方に突出しながら遮断耳片８１が該切り欠き部分の両端部における２つの末端位置間で運動するのを許容するようにほぼ１００°弧状に延びている。明瞭にするために、ハウジング３８のこの内方に向かって延長された部分は、図１９には示されてないが、図２８に示されており、切り欠きは符号１８１で示されている。
【００３９】
コンポーネント８０は、その一つの端部近くの外面から延びる遮断耳片８１を有しており、この一つの端部は、図１９に示されているようにプラグ４０の内方端に隣接する端部である。プラグ４０の端面はシリンダ３９の端面から内方に凹まされているが、前記シリンダ３９の端部を超えて延びる突起８２を有している。コンポーネント８０の端部には、シリンダ３９の端部に画成された凹所内に嵌合するように寸法付けられた減径部８３が形成されており、その結果この減径部８３はプラグの端部と係合して受容される。
【００４０】
しかしながら、コンポーネント８０のこの減径部８３はほぼ６０°にわたり弧状に延びる凹所８４を有しており、突起８２が前記凹所８４に受容されるので、プラグ４０がドア１０の内側においてプラグ４０のキーの操作によって回転されるとき、この突起８２は、後述するように、該突起が凹所８４の側面の１つと係合する幾つかの状況下でコンポーネント８０を回転させるであろう。しかしながら、凹所８４を設けることは、プラグ４０とコンポーネント８０との間の空動きを可能とするので、プラグ４０は、コンポーネント８０をその回転された位置に残しておきながらキーをロックシリンダ３９から除去しうる位置に戻され得る。
【００４１】
コンポーネント８０の反対側端部は略中央の円形断面の孔を有するが、前記孔内には直径方向に対峙した２つのＶ形状の突起８０ａ（図３２Ａおよび図３２Ｂ）があり、２つの該突起８０ａの頂部は互いに離間しているが向かい合っている。各突起の両側面は平らであり、また、かつロックシリンダおよびプラグ構体２８のプラグ２８ａの錠止バー２８ｂが以下のような方法で上述の孔に受容されるように配置されている。すなわち、ドア１０の外部からのロックシリンダおよびプラグ構体２８のキーの操作により、このコンポーネントが両末端位置（図３２Ｂ）間で回転するように、錠止バー２８ｂをその１側で一方の突起の１側にそして他の側で他方の突起の１側に係合させるような方法である。
【００４２】
これら突起８０ａの環状形状および間隔は、錠止バー２８ｂ、すなわち、ロックシリンダおよびプラグ構体２８とコンポーネント８０との間に空動きがあることを意味しており、以下のことが分かる。すなわち、一方の回転方向において、錠止バー２８ｂが一方の突起の一つの平らな面に係合するのに対して、他方の回転方向において、錠止バー２８ｂが他方の回転方向にコンポーネント８０を回転するように前記２つの突起８０ａの各対峙する面に係合し、再び、空動きがキーを取り除くことができるコンポーネント８０に対する位置（図３２Ａ）にロックシリンダおよびプラグ構体２８が移動されることを許容する。
【００４３】
図２０〜図２２および図２８は、コンポーネント８０の一部分が受容されるハウジング３８の延長された部分の内面にある２つの小さな、角度をずらして配置された、半円形断面の凹所８５，８６を略示しており、各凹所８５，８６は、遮断耳片８１から角度をずらして配置されたコンポーネント８０の外面にある小さい孔８７と選択的に係合している。小さいばねが前記孔８７に受容されており、そしてこの端部に小さいボールがある。このようにして、ボールは、相対的な回転がコンポーネント８０とハウジング３８との間に生じるときに、コンポーネント８０と各凹所８５，８６との中間面を横切ってばね負荷される。言い換えれば、コンポーネント８０は、その末端位置の各々において、ばね負荷のボールによって、偶発的な回転のないように実質上堅固に所定位置に保持される。
【００４４】
図２０は、ハンドル３６が、チャンネル４２の近くに、平らな面を有する中央に配置された突起８８を備えていることを示しており、この平らな面は、ハンドル３６が図１９に示されたその休止位置にあるとき閉止部分１２に向かい合う。この突起８８は、その１側で、ストッパとして作用する直立壁８９を備えている。コンポーネント８０に対するこの突起８８の位置は、通常の状態下で、遮断耳片８１が図２１または図２２に示された位置にあるようになっており、この位置においては、ハンドル３６がボルト５５を撤退するべく図４および図５に関連して前述したように枢動され得る。
【００４５】
しかしながら、上に簡単に述べたように、コンポーネント８０が図２１および図２２に示されたその末端位置から図２０に示された他方の末端位置に角度を変更するように動作されると、遮断耳片８１は突起８８の平らな面上に位置し、ハンドル３６が休止位置にあれば、遮断耳片８１は図２０に示すように直立壁８９に当接する。この休止位置においてハンドル３６の枢動は遮断耳片８１によって阻止されている。ハンドル３６に関連して留意すべきことは、コイル状の捩じりばね（図示せず）が枢動ロッド４１のまわりに設けられていて、ハンドル３６を図１９に示す休止位置に付勢するように、該捩じりばねの一端が端壁１４に対して係合しかつ他端がチャンネル４２に対して係合することである。
【００４６】
図１３〜図１５および図１〜図５に示すように、ボルト５５は、相互に接続された一連のプレートから一般に作られる略層状構造からなっており、各プレートが、ケーシングの前方壁１５にある略長方形の対応した開口９１を通りケーシングに対し延入および延出する対応した形状の先端部分を画成している。前記先端部分の内方の位置においてボルト５５の中心を通って画成されているのは、図１〜図５に示すように筒状の突起６１が受容されるスロット９２である。側壁１３に対して画成された２枚の最内方および２枚の最外方のプレート９０は、ボルト５５の先端部分の端でまたはそれを僅かに超えて終端するのに対して、符号９３で示された中間のプレートは、前記先端部分からより大きな範囲に拡がり、そして前記先端部分から離れたプレート９３の端部まで延びるスロット９２の両端に２本のアーム部分９４，９５を画成する。
【００４７】
アーム部分９４の自由端において、プレート９３の一部分は９０°曲げられて、閉止部分１２に指向する脚部９６を形成する。同様に、アーム部分９５の自由端も９０°曲げられて、閉止部分１２に指向する脚部９７を提供する。図１〜図５および図１３〜図１５から理解されるように、脚部９６は、ボルト５５をその伸張位置から撤退させるように鼻状部分５３による係合のためであり、それに対して脚部９７は、図６〜図１２に関連して説明されるようにカム９９の駆動面９８による係合のためである。
【００４８】
図３は、ボルト５５を完全に伸張するとともにハンドル３６をその休止位置にして、他方の鼻状部分５３がボルト５５の脚部９７から離間していることを示している。これは、ハンドル３６の枢動によって図４に示す位置への接続部材４９の他方の部分５０の運動を可能とし、それにより、鼻状部分５３が脚部９７に係合してボルト５５を撤退させる前に、デッドロック要素４４を動かしボルト５５から離すためである。このようにして、ボルト５５の撤退はデッドロック要素４４によって妨害されない。
【００４９】
同様に、図６は、ボルト５５が完全に伸張されかつカム９９がその休止位置にあるときに、カム９９の駆動面９８がボルト５５の脚部９６から離間していることを示している。これは、駆動面９８が脚部９６に係合してボルト５５を撤退させる前に、後述するように、デッドロック要素４４を動かしてボルト５５（図１１）から離し、キーによる最初のカム９９の角度を変更する動作を許容する。かくして、ボルト５５の撤退はデッドロック要素４４によって妨害されない。
【００５０】
アーム部分９４は、脚部９６に隣接して貫通孔１００を有し、この貫通孔１００は、ボルト５５の撤退位置において、孔１２ｃの１つ並びに孔１３ｂおよび３８ｄと整列し、ドライバシャフトに対して固定ネジ３８ｈの１つへの接近を可能としている。他方のアーム部分９５の外方縁部に形成されているのは円形断面の凹所１０１であり、これは、ボルト５５が前記撤退位置にあるとき、固定ネジ３８ｈの他の１つへのドライバのアクセスを許容する。
【００５１】
このようにして、ボルト５５を撤退位置にして、前述したように、ケーシング部分１１および閉止部分１２の構体がドア１０から除去され、ローズ１１０を保持しているこれらの固定ネジ３８ｈの両方の各頭部は、ローズ１１０の取り外し並びにロックシリンダ３９および関連のプラグ４０の容易な交換を可能にするために、固定ネジ３８ｈの取り外しを許容するようにアクセス可能とされる。上述した本発明のこの形態は、英国特許出願第０００５７５３．９号の主題を形成している。固定ネジ３８ｈへの接近のためのボルト５５の撤退位置が図１７においてボルト保持部材７４によって保持されているときの位置であるように配置されることも可能である。
【００５２】
アーム部分９４の外縁部には、ボルト５５を外方に向かってそのガイド２１３中に付勢するばねの組み立てを可能にするように切り欠き１０２が設けられている。最後に、円形孔１０３が、ボルト５５の先端部分に最も近くにであるが、ボルト５５の他の４枚のプレート９０から離れて、アーム部分９４にその端部に隣接して設けられている。この円形孔１０３に関連して、側壁１３には、円形断面の貫通開口１０４が設けられており、該貫通開口１０４は、側壁１３の内面において、突起１０５を通って設けられる。前記貫通開口１０４を通り前記突起１０５に延入しているのは、図１３〜図１５に示すようにボルト５５をその通常の完全な撤退位置に維持するための掛け金１０６である。
【００５３】
掛け金１０６が有する頭部１０７は、側壁１３の外部から見ることができ、また、使用中、ロックが嵌合されるドア１０の内側から掛け金１０６を手動で操作可能にする。頭部１０７から、掛け金１０６は、中央の減径された中央部分１０８およびさらに減径された端部分１０９を画成するように二重に下方に向かって段が付けられており、すべての部分は共通の中心軸線のまわりにある。円環１１０ａは、中央部分１０８と端部分１０９との間の接合部において掛け金１０６の溝に係合され、そしてコイルばね１１１は、中央部分１０８のまわりに受けられ、その一端が頭部１０７の下側に当接する。掛け金１０６は
図１３〜図１５に示すように開口１０４および突起１０５において嵌合されるので、コイルばね１１１の他端は突起の内方部分において段部に対して係合し、その結果、掛け金１０６は図１３の位置に通常下方に向かって付勢され、そこで円環１１０ａがケーシングにおいて掛け金１０６を所定位置に保持するように突起の最内方面に対してストッパとして作用する。
【００５４】
円形孔１０３はその中に掛け金１０６の端部分１０９を受容するような大きさであるけれども、図１３から分かるように、この円形孔１０３は、通常の完全に撤退された状態において、すなわち、ハンドル３６の鼻状部分５２を端壁１４と係合状態にして、掛け金１０６の端部分１０９との整列から外れる。しかしながら、脚部９７それ自体が端壁１４の内面にまだ達していないことが留意されうる。したがって、掛け金１０６を作動するために、まず必要なことは、ボルトをその先端部分に圧力を加えることによりその図１３の位置から後方に押すことである。
【００５５】
これにより脚部９７が図１４に示すように端壁１４の内面との係合状態に移動され、円形孔１０３が掛け金１０６の端部分１０９と整列し、掛け金１０６をコイルばね１１１の付勢に抗して前記円形孔１０３内に移動させる。掛け金１０６の端部分１０９がいったん円形孔１０３内に移動されると、ボルト５５の端部にかかる内向き圧力は次いで解放されることができ、そしてボルト５５に作用するコイルばね１１１は、掛け金１０６の端部分１０９を円形孔１０３に保持して、ボルト５５を図１５に示されるその通常の完全な撤退位置に戻す。円形孔１０３は、図１４および図１５の位置間のボルト５５の前記運動を許容するように端部分１０９の直径に関して幾らか大きく寸法付けられていることが理解されよう。
【００５６】
必要ならば、端部分１０９の自由端は、円形孔１０３内に保持される首部を円環１１０ａとともに画成するように、細いフランジを備えうることが分かる。掛け金１０６がいったん図１５に示されたようにボルト５５に係合したら、掛け金１０６の解放は、ボルト５５の端部に内向き圧力を再び加え、それにより端部分１０９上の円形孔１０３の縁部でのボルト５５の係合を解放することで単に行われることができる。コイルばね１１１は、次いで解放された掛け金１０６をその図１３の位置に自動的に戻し、そして側壁１３の外側にある頭部１０７のより大きな突起は、掛け金１０６がもはや係合されておらず、その結果ドア１０の閉止に際しボルト５５が上述のように自動的に伸張することを示す。
【００５７】
図示し説明したように、掛け金１０６はボルト５５をその図１７の撤退位置に保持するが、掛け金１０６は、代替的に、図１３および図１５におけるボルト５５の位置間の位置にボルト５５を保持するように配置されてもよい。したがって、貫通孔１００と凹所１０１は、固定ネジ３８ｈへのアクセスを許容するように再び位置決めされるが、ポジ−ドライブ(posi-drive)ネジ頭部とともに、それに対してある角度にあるドライバシャフトは、固定ネジ３８ｈを元に戻すことができるかもしれない。ドア１０を閉じるとき解放に抗して撤退されたボルト５５をロックするような掛け金１０６の特徴は、英国特許出願第０００５７５４．７号の主題を形成している。
【００５８】
最後に、ロックの諸コンポーネントに関し、図６〜図１２を参照するとカム９９が示されており、このカムの駆動面９８は、前述したように、作動時に脚部９６に作用しボルト５５を撤退させる。後述するように、ハンドル３６は、使用中、ドア１０の内側から作動して、脚部９７に作用する他方の鼻状部分５３によってボルト５５を撤退させるのに対し、ドア１０の外側からでは、ロックシリンダおよびプラグ構体２８におけるキーの操作がこのカム９９を動かし、したがって脚部９６に係合している駆動面９８を介してボルト５５を撤退させる。図６、図８および図９に示した休止位置において、その側面は、閉止部分１２から内方に突出している耳片または同等物の形のストッパ９９ａに係合して、休止位置からのカム（図６に見られるように）の反時計方向の運動を阻止する。
【００５９】
カム９９は、その一方の側に中空の突起１１２（図１９Ａ）を備え、この突起１１２は、前記Ｖ形状の突起を収容する孔を有するコンポーネント８０の端部に回転可能に受容されている。カム９９の他方の側には、突起１１２と同一の中心を有する直立の突起１１３がある。ロックシリンダおよびプラグ構体２８の錠止バー２８ｂ用のスロット１１４は突起１１３を貫いて中空の突起１１２に延入する。錠止バー２８ｂの回転は、上述したようにコンポーネント８０を回転させるロックシリンダおよびプラグ構体２８のプラグのキー回転時に行われ、カム９９とコンポーネント８０との間には空動き（ロストモーション）がある。
【００６０】
図６〜図１２に示すように、突起１１２が設けられている側のカム９９の面には、駆動面９８からカム９９のまわりにほぼ９０°に配置された縁面１１５から、第１の平らな面１１６および第２のより長い平らな面１１７が形成されており、これら２つの平らな面は傾斜部分１１８によって接続されている。図６および図７に示された構成では、ボルト５５が、完全に伸張されているとともに、この位置において、側壁１３に向かい合うその側で中間のプレート９３の直ぐ近くでプレート９０の内方端に係合する鼻状部分４６によってデッドロックされている。
【００６１】
図１〜図５および図１３〜図１５に示すように、中間のプレート９３と係合しているこのプレート９０は、側壁１３に向かい合うボルト５５のこの側の外方プレートよりもさらに内方に延びるので、図２に示すように、鼻状部分４６もボルト５５をその部分的に伸張された位置にデッドロックし、次いで鼻状部分４６がボルト５５のこの側で前記最外方のプレートの内方端に係合する。
【００６２】
したがって、図３の構成に対応する図７に示すように、ボルト５５は、その完全に伸張された位置に、突起６１の半球状の頭部を平らな面１１６に並置して、保持される。ロックのキー操作がドア１０の外部から行われると、カム９９は上述のように回転しボルト５５を撤退させる。図８は、ボルト５５が完全に撤退されかつボルト保持部材７４によってこの位置に保持されている局面を示しており、カムは図８に示されたその位置にキー回転によって戻されている。図９は、デッドロック要素４４がその図１の位置にあるときに、突起６１の半球状の頭部が平らな面１１６から離れどのくらい離間するかを示している。
【００６３】
図１１は、カム９９が回転するときに突起６１がどのようにして押し下げられるかを示しており、この場合、突起６１の頭部は、この頭部が傾斜部分１１８に係合するときにそのばね付勢に抗して強制されており、このばね６５に抗するこの運動がボルト５５のデッドロックを解放し、該ボルト５５は次いでボルト５５のアーム部分９６に係合しているカム９９の駆動面９８によって撤退され得る。図１２は、カム９９およびデッドロック要素４４の相対位置を示しており、この局面において、カム９９がその図８の位置に戻るようにキー回転によって動かされる前に、カム９９はアーム部分９６に係合する。ボルト５５が完全に撤退されて保持された状態では、キー回転は、カム９９を、脚部９８と係合する点線で示された図１０の位置から、カム９９がそのストッパ９９ａに係合する図１の位置に戻す。
【００６４】
使用中のロックの作動について次に説明する。
【００６５】
図２３に示すようにロックがドア１０に取り付けられた状態で、ロックシリンダおよびプラグ構体２８はドア１０の外側からキーによって操作可能であり、図１９のロックシリンダ３９および関連のプラグ４０は同一のキーの使用によってドア１０の内側から操作可能になっている。便宜的に、各プラグおよびシリンダ構体並びにキーは、ヨーロッパ特許出願第０８９２１３０号に記載された形態のものでよい。
【００６６】
通常、ドア１０が閉じられた、すなわち、その関連のフレームに受容された状態で、ボルト５５は、例えば図３に示すように、その完全に伸張された位置にあり、前方壁１５から突出しているボルト５５の先端部分はフレームに固定された普通の形状の関連の保持体内に受容されている。この状態において、デッドロック要素４４は、図３に示した位置にあり、この位置において、プレート９３の外側に取着されたボルト５５のプレート９０との当接体として作用することによって、上述のように、ボルト５５をデッドロックしている。
【００６７】
このデッドロックされた状態において、突起６２はケーシング内に完全に受容され、かつドア１０の内側においてデッドロックが作動中であることを視覚的に示唆する。さらに、この状態において、ハンドル３６は図３に示すようなその休止位置にあり、カム９９は図６に示すようになその休止位置にあり、掛け金１０６は図１３に示すようなその休止位置にあり、そしてボルト解放部材６９は図１８に示されるその撤退位置にあり、ステープルの表面との鼻状部分７３の係合によりそのばね付勢に抗して保持されている。図１８から分かるように、ボルト解放部材がこの位置にあると、ボルト保持部材７４はボルト５５の隣接する側面から離れてボルト解放部材６９によって保持される。
【００６８】
このデッドロックされた状態において、ドア１０はロックシリンダおよびプラグ構体２８においてロック用のキーの使用によって外部から開放され得る。キーが図２０に示すようにロックシリンダおよびプラグ構体２８のプラグに挿入され時計方向に回転されると、カム９９のスロット１１４に受容されたロックシリンダおよびプラグ構体２８の錠止バー２８ｂは、カムを図６〜図１０に見られるように時計回り方向に角度を変更するさせる。まず、カム９９の駆動面９８は脚部９６に向かって動き、そして同時に、カム９９の傾斜部分１１８が突起６１を動かし始めてボルト５５上のデッドロックを解放するように該突起６１の頭部に係合し、その結果、駆動面９８が脚部９６に係合するとき、突起６１が図１１に示すようにカムの第２のより長い平らな面１１７によって係合されているので、ケーシング内にボルト５５を撤退させ始めることができる。この状態で、デッドロック要素４４は、図１１に示すようにボルト５５のプレート９０から離れている。カム９９は、次いで、ボルト５５が図１０に点線で示す完全に撤退された状態になるまで錠止バー２８ｂによって角度を変更するように動作され、そして図１２に示されるように、カム９９はその末端位置に角度を変更するように動作される。
【００６９】
しかしながら、この状態において、ドア１０が開放されていなければ、ボルト５５は撤退保持されておらず、ボルト解放部材６９がまだ図１８の位置にあると仮定すれば、ボルト保持部材７４が撤退されたボルト５５に係合するのを阻止する。したがって、いったんボルトが完全に撤退されると、ドア１０を開けることが必要であり、そうすると、ボルト解放部材６９は、フレームとの係合から解放され、そしてばね付勢を受けて、ボルト解放部材６９の鼻状部分７３がロックの前面から延びる図１７の位置へと摺動する。この摺動は、ボルト保持部材７４がそのバネ付勢の影響下に図１７の位置へ移動することを許容し、それによりボルト５５をその撤退状態に保持する。
【００７０】
キー、ひいてはロックシリンダおよびプラグ構体２８のプラグは、この時、休止位置／キー挿入位置に戻されることができ、そしてキーが除去される。キーのこの戻り運動は、カム９９を、図１２に示されかつ図１０に点線で示されたその一方の末端位置から、図８に示された他方の末端位置または休止位置へ移動させ、この状態で、ボルト５５は撤退されており、デッドロック要素４４はボルト５５の１側との係合のみで図１に示された位置にあり、その突起６２は側壁１３の外面から突出してボルト５５がデッドロックされていないことを示唆する。
【００７１】
ドア１０の内側で使用者がドア１０を閉止できれば、その動作でボルト５５を自動的に「操作(throws)」し、それによりドア１０を錠止する。このことは、単に、内側からドア１０を閉めることによって達成されるが、その理由は、ドア１０を閉めることにより、ステープルとのボルト解放部材６９の鼻状部分７３の係合を生じさせ、それによりボルト解放部材６９をその図１７の位置から図１８の位置へと強制してケーシング内に入れ、ボルト保持部材７４の撤退という結果になるからである。その結果、ボルト５５は、それを付勢させるコイルばねの力により自動的に伸張されるので、ボルト５５は図３の位置へとケーシング外に繰り出され、デッドロック要素４４が図１〜図３に示すように自動的に作動してボルト５５を再びデッドロックする。
【００７２】
その後、内側からドア１０を開くには、ドア１０の内側でハンドル３６を図１〜図３に示されたその休止位置から図５に示されたその完全に枢動された位置へ枢動することのみが必要である。ハンドル３６のこの枢動は、まず、もはやボルト５５をデッドロックしない図４の位置にデッドロック要素４４を動かし、次いで図４および図５に示すようにプレート９３の脚部９７に係合するハンドル３６の鼻状部分５３によってボルト５５がケーシング内に完全に撤退される図５の位置へデッドロック要素４４を動かすように、接続部材４９を介してデッドロック要素４４に伝達され、ボルト５５のこの撤退は付勢させるコイルばねに抗して行われ、また、ハンドル３６の枢動がその固有の付勢ばねに抗して行われる。
【００７３】
図５の位置に達したら、ボルト保持部材７４によってボルト５５をその撤退位置に保持するためにドア１０を開くことが必要である。したがって、前述したように、外側から入るときにボルト５５を撤退されたままに保持するために、ハンドル３６を経由する内側からのドア１０の開放により、再び、ボルト解放部材６９をケーシング外に伸張させ、それによりボルト保持部材７４が解放され、該ボルト保持部材は、そのばね付勢を受け動きボルト５５にある凹所７９に係合し、ボルト５５を撤退されたままに保持する。
【００７４】
その後、ドア１０の閉止によりボルト解放部材６９の鼻状部分７３がフレームに係合されるとともに内方に押されて、ボルト保持部材７４がボルト５５との係合状態から動かされるようになり、したがって次いでボルト５５がその付勢力によりケーシングの外に自動的に伸張されるので、閉止されたドア１０は、再び、その関連の保持体に進入するボルト５５によって自動的に錠止される。図１〜図３に示すように、伸張位置から撤退位置へのボルト５５の運動は、保持体内に伸張したボルト５５を再びデッドロックするよう、デッドロック要素４４が図１〜図３に順次示されるように移動することを許容し、それによりドア１０をロックする。
【００７５】
図２から分かるように、側壁１３に向かい合うプレート９３の側での２枚のプレート９０の長さが異なるために、ボルト５５は、図３に示したその完全な伸張位置においてだけでなく、デッドロック要素４４の鼻状部分４６が中間のプレート９３の前記一方の側で前記２枚のプレートのうちより短い最外方のプレート９３に係合する図２の部分的な伸張位置においてもデッドロックされる。この特徴は、ボルト５５が何らかの理由で完全に伸張しない場合の安全性を提供する二次的な錠止位置を保証している。
【００７６】
本発明のロックの重要な特徴は、ハンドル３６がロック用のキーなしにドア１０の内側から操作されることができず、それにより侵入者がドア１０から出て行くのを阻止するようにハンドル３６を錠止することに関する。この特徴は、ロックがガラスパネルドア１０に使用されるときとくに有益である。
【００７７】
内側からドア１０を錠止するために、ハンドル３６はまず枢動され、そしてドア１０が開かれ、ボルト５５をその撤退位置に保持する。その後、キーがハウジング３８内でロックシリンダ３９にあるプラグ４０に挿入される。このキー挿入状態において、プラグの突起８２は、コンポーネント８０の遮断耳片８１をハンドル３６の突起８８から離して、図２２に示すように筒状のコンポーネント８０の凹所８４の１面に当接しており、その結果この状態において、ハンドル３６がさらに枢動され得る。キーが、図２２において見て、反時計方向に回転されると、プラグ４０が回転し、したがってプラグ４０の突起８２がコンポーネント８０に作用してそれを反時計方向に回転させて、図２０に示すように、遮断耳片８１を突起８８の上にかつ直立壁８９との係合状態に至らしめる。
【００７８】
コンポーネント８０のこの角度を変更する動作の間中、コンポーネント８０と連係するばね付勢されたボールは凹所８６内の部分的な受容から凹所８５内への部分的な受容に移り、それによりコンポーネント８０を図２０の位置に保持する。キーを除去するために、キーは次いでその挿入位置に回転して戻され、そしてプラグ４０とコンポーネント８０との間の空動きがコンポーネント８０に対するプラグの回転を許容し、それにより突起８２を、図２０に示すように、その最初のキー挿入状態に戻らせる。その後キーが取り除かれ、そしてドア１０が通常の方法で出口で閉じられ、それにより前述したように閉じられたドア１０を自動的にデッドロックする。ハンドル３６の枢動は、この状況で遮断耳片８１によって阻止される。
【００７９】
外側からドア１０を開放するために、キーは、ロックシリンダおよびプラグ構体２８のプラグに挿入され、そして図２０において見て時計方向に回転される。このロックシリンダおよびプラグ構体２８の錠止バー２８ｂは、前記Ｖ形状の突起８０ａを有するコンポーネント８０の前記孔に延びるカムスロット１１４を通して係合している。カム９９をその図６の位置にして、コンポーネント８０の一端にある孔内の前記Ｖ形状の突起に対するスロット１１４の配置は、キーが回転されたときに、バーとＶ形状の突起の各係合側との間に空動きの最初の開始があり、この空動きは脚部９６との係合状態にある駆動面９８の運動に対応する。
【００８０】
いったんこの空動きが開始されかつカムが図１０に実線で示す位置にあると、キーの連続回転は、Ｖ形状の突起８０ａの各面との係合によりコンポーネント８０を図２０および図３２Ｂの位置から遮断耳片８１がハンドル３６上の突起８８から離れている図２２および図３２Ａの位置へと回転させる、錠止バー２８ｂの回転を生じさせる。これは、最初の退出時に行われたハンドル３６の錠止を解放する点で再入場手続きの重要な安全の特徴である。結果として、いったんドア１０がその後閉じられると、ハンドル３６を枢動することにより内側から（即座に）再び開放され得る。
【００８１】
キーの回転もまたカムの角度を変更させる動作を行って図１０に仮想線で示したようにボルト５５を撤退させる。再び、コンポーネント８０が図２０の位置から図２２の位置へ動くので、孔８７内に部分的に受容されたばね付勢されたボールは、凹所８５における部分的な係合から凹所８６への部分的な係合へと移動し、コンポーネント８０をその図２２の位置に保持する。その後、キーを回してその挿入位置（図３２Ｂ）へ戻すと、錠止バー２８ｂも、準備された空動きのためにコンポーネント８０に対して移動する結果となるので、キーは次いで、いったんドア１０が開放されかつボルト５５が再びその撤退位置に保持されると、ロックシリンダおよびプラグ構体２８のプラグから取り除かれ得る。ハンドル３６は、ボルト５５の撤退を行う必要があるときに再び作動可能である。ハンドル３６が角度を変更する動作を阻止された状態では、ハンドル３６の端部にある切り欠きを通るドライバシャフト２７ａ用の固定ネジ２７へのアクセスが阻止され、したがってケーシング部分１１および閉止部分１２の構体の取り外しが阻止されることが分かるであろう。
【００８２】
最後に、ロックの作動に関し、図１３〜図１５に示すような掛け金１０６の使用について言及する。
【００８３】
前述したように、ボルト５５を撤退させるようなハンドル３６またはカム９９の作動は、該ボルト５５のプレート９３の脚部９７が端壁１４の内面から離間した図１３および図１５に示す位置へボルト５５を至らしめる。この位置において、図１３に示すように、ばね負荷の掛け金１０６は、前記プレート９３にある円形孔１０３との整列から外れており、したがってボルト解放部材６９の状態に関係なくボルト５５をその撤退位置に維持するように作動されることができない。
【００８４】
しかしながら、ボルト５５がドア１０の外縁面においてボルト５５先端から内方に押されると、ボルト５５は、脚部９６と端壁１４との間のクリヤランスが吸収されて脚部が前記端壁１４の内面に当接するような図１４の位置へ動かされ得る。この位置において、円形孔１０３は掛け金１０６と整列されるようになってしまっており、掛け金１０６は、その状況ではその端部分１０９が前記開口を通って受容されるようにばね付勢に抗して内方に押されることができ、ボルト５５に作用する内向きの力の除去によりボルト５５はケーシングから伸張する方向にばね付勢によって自動的に動かされる結果となる。
【００８５】
しかしながら、ボルト５５が端壁１４から離れて前記クリヤランスの量だけ動くことができるが、さらなる動きは、図１５に示すように、掛け金１０６の端部分１０９に係合する円形孔１０３の縁部の係合によって停止されるので、したがって掛け金１０６は、ボルト５５をその通常の撤退位置に維持するよう保持される。ドア１０はかくしてボルト５５を自動的に差し込むかまたは撤退させる必要なく開閉され得る。
【００８６】
例えば、ボルト５５を保持すべく掛け金１０６が係合および非係合位置間で摺動される、この型の通常の掛け金錠止構造によれば、掛け金１０６は偶発的に係合解除されることが可能であり、したがってボルト５５の偶発的な差し込みおよび結果として生じるドア１０の偶発的な錠止を許容する。これに反して、本発明の構成によれば、掛け金１０６の偶発的な解放は、特別な積極的な行為が、すなわち、円形孔１０３がそのばね付勢により自動的に解放する掛け金１０６と再び完全に整列される程度までボルト５５を内方に強制するようなボルト５５の端部への圧力の付加が、ドア１０の前方縁面において必要とされる点で、極めてありそうもなく、ボルト５５は、その場合に、その通常の撤退位置へ自動的に動く。上述したように、掛け金１０６はボルト５５と整列されることができるので、ボルト５５は図１３および図１５の位置の僅かに内方に、しかも図１４の位置の僅かに外方に掛け金１０６によって保持される。
【００８７】
最後に、ボルト５５の端部に加えられる圧力の問題に関し、例えば、ボルト５５の端部とその保持体との間に器具を挿入することによって、ボルト５５を図３の位置から強制的に撤退させる試みの結果としてデッドロック要素４４に力が加えられることに気付くであろう。ある構成のロックでは、デッドロック要素４４へのかかる力の付加は、デッドロック要素４４をボルト５５から解放させることになり、次いでボルト５５が内方に強制されドア１０を解錠する。
【００８８】
しかしながら、本発明の構成によれば、ハウジング３８は、上述したように、デッドロック要素４４のロッド４３用のベアリングの上方半分を提供している。加えて、このハウジングは、デッドロック要素４４の本体部分４５から遠くに離れたロッド４３の側の直ぐ近くに堅固な壁２３８を設けている。ハウジング３８は固定ネジ３８ｈによってケーシングに固定されているので、図３の位置にあるボルト５５に付加されかつデッドロック要素４４によって受けられる内向きの力はハウジング３８の前記堅固な壁２３８によって受けとられ、そしてハウジングはケーシングに固着されているので、ボルト５５との係合からのデッドロック要素４４の係合解除に対する抵抗力があり、それにより、かかる問題に対してボルト５５をより安全にする。
【００８９】
上述したロックの実施例において、ハンドル３６の遮断はドア１０の内側からのみ行いうるけれども、代替の実施例において、ドア１０の内側からに加えて、またはその代わりに、ドア１０の外側からハンドル３６の遮断を行いうるような手段をケーシング内に設けることができる。かかる手段はドア１０の内側に使用される手段と同一かまたは異なっていてもよく、そしてさらにキーによって操作されるようにドア１０の外側から作動し得る手段が好都合である。例えば、遮断部材に係合するのにかつそれを撤退させるのにキーを使用することができ、これは、その場合に必ずしも必要ではなく、したがって、キーの操作以外のことをドア１０の外側で行って前記遮断を生じるようにしてもよく、また同様に、キーの操作以外のことをドア１０の内側で行って前記遮断を生じるようにしてもよい。しかしながら、最も好ましくは、遮断は、ドア１０の内側および外側の両方から、好ましくは両方の場合において、ロックのキーによって行われうることである。
【００９０】
他の実施例において、外方のハンドル３６のような、遮断耳片を作動停止にする外方のキー操作以外の手段をボルト５５の撤退に使用することができる。
【図１】
2010174622.tif 000003
【図２】
2010174622.tif 000004
【図３】
2010174622.tif 000005
【図４】
2010174622.tif 000006
【図５】
2010174622.tif 000007
【図６】
2010174622.tif 000008
【図７】
2010174622.tif 000009
【図８】
2010174622.tif 000010
【図９】
2010174622.tif 000011
【図１０】
2010174622.tif 000012
【図１１】
2010174622.tif 000013
【図１２】
2010174622.tif 000014
【図１３】
2010174622.tif 000015
【図１４】
2010174622.tif 000016
【図１５】
2010174622.tif 000017
【図１６】
2010174622.tif 000018
【図１７】
2010174622.tif 000019
【図１８】
2010174622.tif 000020
【図１９Ａ】
2010174622.tif 000021
【図１９Ｂ】
2010174622.tif 000022
【図１９Ｃ】
2010174622.tif 000023
【図２０】
2010174622.tif 000024
【図２１】
2010174622.tif 000025
【図２２】
2010174622.tif 000026
【図２３】
2010174622.tif 000027
【図２４】
2010174622.tif 000028
【図２５】
2010174622.tif 000029
【図２６】
2010174622.tif 000030
【図２７】
2010174622.tif 000031
【図２８】
2010174622.tif 000032
【図２９】
2010174622.tif 000033
【図３０】
2010174622.tif 000034
【図３１】
2010174622.tif 000035
【図３２Ａ】
2010174622.tif 000036
【図３２Ｂ】
2010174622.tif 000037